(57)【要約】【課題】  レール機構に水が付着しにくくし、レール機構の耐久性の向上を実現する引出し式食器洗浄機を提供する。【解決手段】  洗浄槽１２の上端近傍には外側へ張出す段部１２ｃが形成されている。段部１２ｃは側壁１２ｄを有しており、側壁１２ｄの上端にはさらに外側へ水平に伸びるフランジ１２ｅが形成されている。レール機構１４は、洗浄槽１２の上端と食器洗浄機本体１０の内側面の上部をスライド自在に接続している。可動レール２８の端部にフランジ２８ａが形成されており、洗浄槽１２のフランジ１２ｅのボス１２ｆにビス止めされている。固定レール３０の端部にフランジ３０ａが形成されており、食器洗浄機本体１０の左右の内側面に固定されている。中間レール３２は可動レール２８と固定レール３０をスライド自在に接続している。可動レール２８を上部から覆うようにレールカバー３４が取付けられている。【選択図】  図３
2005137420.tif 000002
【特許請求の範囲】
【請求項１】
食器洗浄機本体と、
食器洗浄機本体に前後方向にスライド自在に収容され、上部に開放部を有し、側壁の上端に外側に張出す段部が形成され、左右側の段部の側壁の上端に外側に伸びるフランジが形成されている洗浄槽と、
食器洗浄機本体内に配設され、洗浄槽の段部に液密にシールされて洗浄槽に蓋をする内蓋と、
内側に伸びるフランジを有しており、このフランジが洗浄槽のフランジの下方に固定されて取付けられる可動レールと、洗浄機本体の左右側の内側面に取付けられる固定レールと、可動レールと固定レールをスライド自在に接続する中間レールを有するレール機構とを有する引出し式食器洗浄機。
【請求項２】
レール機構の上部に取付けられてレール機構の上部を覆うレールカバーを有していることを特徴とする請求項１の引出し式食器洗浄機。
【発明の詳細な説明】
【技術分野】
【０００１】
本発明は、引出し式食器洗浄機に関し、特に、洗浄機本体から洗浄槽を引出すための機構に関する。
【背景技術】
【０００２】
引出し式食器洗浄機は、キッチンカウンタに組込まれた洗浄機本体から洗浄槽を引出して食器類を収容し、洗浄槽を収容位置に押戻して洗浄運転を行なう。洗浄機本体内の上部には昇降可能の内蓋が取付けられており、洗浄槽を押戻す動きに連動して内蓋が降下して洗浄槽の上部開放部に蓋をし、洗浄槽を引出す動きに連動して内蓋が上昇して洗浄槽の上部を開放する。洗浄槽は通常レール機構によってスライド自在に支持されている。
例えば、特許文献１に示されている食器洗浄機の洗浄槽は、第１スライドレールと第２スライドレールを有するレール機構によって支持されている。このレール機構の第１レールは洗浄機本体の両内側面に取付けられ、第２スライドレールは洗浄槽の下部に取付けられている。レール機構によって洗浄槽の下部が支持されている。
【特許文献１】特開２００１−６１７４６号公報
【発明の開示】
【発明が解決しようとする課題】
【０００３】
特許文献１の食器洗浄機では、万が一、洗浄運転中に内蓋と洗浄槽とのシール部から水がしみ出ると、しみ出た水が洗浄槽の側壁の外面を伝って第２スライドレールに付着してしまう。また、洗浄運転中あるいは洗浄運転終了直後で内蓋の下面に水滴が付着しているときに洗浄槽を出入れすると、水滴がレール機構に落下することがある。さらに、洗浄槽の下方には、洗浄槽の底部から排水ポンプへつながる排水通路等が配設された水通路部があり、万が一、水通路部から水漏れが発生すると、洗浄槽の下部に取付けられたレール機構に水が付着してしまう。これらの水の付着に気が付かないまま放置してしまうと、レール機構が腐食してしまうことがある。レール機構には、ボールベアリングやローラ等の金属製の摺動部品が配設されており、摺動部品が腐食すると、引出し力が大きくなったり、引出し力にムラが生じたり、さらには引出し時に異音が生じるなどし、スムーズな引出し動作に影響を及ぼす。また、洗浄槽はレール機構によって支持されており、レール機構の腐食は耐久性に影響を及ぼす。
【０００４】
本発明では、レール機構に水が付着しにくくし、レール機構の耐久性の向上を実現する引出し式食器洗浄機を提供することを目的とする。
【課題を解決するための手段】
【０００５】
本発明の引出し式食器洗浄機は、食器洗浄機本体と、洗浄槽を備えている。この洗浄槽は、食器洗浄機本体に前後方向にスライド自在に収容され、上部に開放部を有し、側壁の上端に外側に張出す段部が形成され、左右側の段部の側壁の上端に外側に伸びるフランジが形成されている。また、本発明の引出し式食器洗浄機は、食器洗浄機本体内に配設され、洗浄槽の段部に液密にシールされて洗浄槽に蓋をする内蓋を備えている。さらに、本発明の引出し式食器洗浄機は、内側に伸びるフランジを有しており、このフランジが洗浄槽のフランジの下方に固定されて取付けられる可動レールと、洗浄機本体の左右側の内側面に取付けられる固定レールと、可動レールと固定レールをスライド自在に接続する中間レールを有するレール機構をも備えている。
【０００６】
従来の引出し式食器洗浄機は、レール機構によって洗浄槽の下部が支持されていた。このため、洗浄運転中に内蓋と洗浄槽とのシール部から水がしみ出ることがあると、しみ出た水が洗浄槽の側壁の外面を伝って第２スライドレールに付着してしまうおそれがあった。また、内蓋の下面に付着していた水滴がレール機構上に落下することがあった。さらに、洗浄槽の下方の水通路部から水漏れが発生した場合、漏れた水がレール機構を濡らしてしまうおそれがあった。レール機構に水が付着したまま放置して腐食してしまうと、スムーズな引出し動作ができなくなるほか、ひいては洗浄槽を支持できなくなってしまう。
【０００７】
本発明の引出し式食器洗浄機は、洗浄槽の上端に外側に張出す段部が形成されており、この段部に内蓋がシールされる。また、この段部は側壁を有している。従って、万が一、内蓋と段部のシール部から水がしみ出たとしても、しみ出た水は段部の側壁を越えて漏れ出ることはまずない。
また、本発明の引出し式食器洗浄機は、洗浄槽の上端の段部の側壁から外側に伸びるフランジが形成されており、レール機構の可動レールは内側に伸びるフランジを有しており、このフランジは洗浄槽のフランジを下方から支持するように取付けられている。この構成によれば、レール機構は洗浄槽の側壁からフランジ分の距離をおいて配設されることとなる。従って、万が一、内蓋の下面に付着していた水滴が落下したとしても、その水はフランジに阻まれるため、洗浄槽の側壁の外面を伝ってレール機構を濡らしたり、レール機構にまで及んで付着したりすることはまずない。
さらに、本発明の引出し式食器洗浄機のレール機構は、洗浄槽の上端を支持するように取付けられている。このため、万が一、洗浄槽の下方の水通路部から水漏れが発生したとしても、レール機構に影響を及ぼすことはない。
これらのことから、本発明の引出し式食器洗浄機は、極めてレール機構に水が付着しづらい構成であり、これによって、レール機構の腐食の発生を防止し、耐久性を向上させることができる。
【０００８】
本発明の引出し式食器洗浄機は、さらにレール機構の上部に取付けられてレール機構の上部を覆うレールカバーを有していることが好ましい。
このレールカバーによって、レール機構に直接水が付着することを防止することができる。
【発明を実施するための最良の形態】
【０００９】
以下、本発明の好適な実施形態を説明する。
（形態１）  レールカバーには内側に伸びる庇部が形成されている。
（形態２）  レールカバーの色や質感等はキッチンカウンタに使用されている素材と統一されている。
【実施例】
【００１０】
本発明の実施形態の引出し式食器洗浄機の縦断面図を図１に表す。図１に示されているように、洗浄機本体１０は前面（図１では左側を前方とする）が開放されており、開放部に洗浄槽１２が引出し可能に収容されている。図１は洗浄槽１２が洗浄機本体１０から引出された状態を示している。洗浄槽１２はレール機構１４に案内され、洗浄機本体１０内に収容された収容位置と、収容位置から引出された引出し位置との間をスライド移動する。レール機構１４については後で詳述する。洗浄槽１２は上部が開放された箱形状であり、前面に扉１６が取付けられている。洗浄機本体１０から洗浄槽が引出された状態で、洗浄槽１２の上部開放部から食器類が出入れされる。洗浄槽１２内の上部に、図示しない上下機構を介して内蓋１８が取付けられている。内蓋１８の下面の周囲近傍には全周に亘ってパッキン１８ａが取付けられており、洗浄槽１２が収容位置に収容されているとき、洗浄槽１２の上部開口部は内蓋１８によって液密に閉じられている。扉１６が前方に引かれると、洗浄槽１２が収容位置から引出されるとともに、洗浄槽１２の動きに連動する上下機構によって内蓋１８が上方に移動して開けられる。扉１６が後方に押されると、洗浄槽１２が収容位置に戻されるとともに、上下機構によって内蓋１８が下方に移動して閉じられる。
【００１１】
洗浄槽１２の下部には洗浄ポンプ２０が配設されている。洗浄ポンプ２０は、モータ２０ｃと、モータ２０ｃによって回転駆動されるインペラ２０ａおよびファン２０ｂを備えている。ファン２０ｂが回転するとモータ２０ｃに送風され、モータ２０ｃが冷却される。洗浄槽１２の底部と洗浄ポンプ２０のインペラ２０ａは吸込通路１２ａによって連通している。洗浄槽１２と吸込通路１２ａの間には、脱着可能なフィルタ２６が取付けられている。インペラ２０ａとノズル２４は吐出通路２２によって連通している。洗浄槽１２内に配設されているノズル２４は、吐出通路２２を軸として回転自由に装着されており、表面に複数のノズル穴２４ａが開口している。ノズル穴２４ａには、真上に洗浄水を噴出するように形成されたものと、回転軸（吐出通路２２）に対して回転モーメントを発生させるように斜め方向に洗浄水を噴出するものとがある。
インペラ２０ａが回転すると、吸込通路１２ａを介して洗浄水が吸引され、洗浄水が加圧された後、吐出通路２２を介して洗浄水がノズル２４に送られる。ノズル２４は、内部に洗浄水が供給されると、回転しながら洗浄水を噴出する。この動作によって洗浄槽１２内の図示しない食器かごに収容された食器類に洗浄水が噴射され、食器類は洗浄される。
【００１２】
洗浄槽１２の後方には排水ポンプ４０が配設されている。排水ポンプ４０の構成は洗浄ポンプ２０の構成と同様であるため、詳しい説明は省略する。洗浄槽１２の底部と排水ポンプ４０は排水通路１２ｂによって連通している。排水ポンプ４０の図示しないインペラが回転すると、排水通路１２ｂを介して洗浄水が吸引され、図示しない排水ホースを経て排水される。
なお、図１では、図面の明瞭化のため、本来洗浄槽１２の後方に配設されている給水ホースや排水ホース等の図示を省略している。
【００１３】
引出し式食器洗浄機の洗浄槽１２を前後にスライドさせるレール機構１４について説明する。レール機構１４は、前後に伸びており、洗浄槽１２の側壁の左右両側の上端を支持するように配設されている。レール機構１４は、可動レール２８と、固定レール３０と、中間レール３２を有している。可動レール２８は、洗浄槽１２の左右の上端部に取付けられて洗浄槽１２を支持している。固定レール３０は、洗浄機本体１０の内部に取付けられている。中間レール３２は、可動レール２８と固定レール３０を挟んでスライド自在に取付けられている。レール機構１４の上部にはレールカバー３４が取付けられている。
【００１４】
さらにレール機構１４の詳細を図２と図３と図４を用いて説明する。図２は図１に示された引出し式食器洗浄機の縦断面と９０°異なる縦断面を示した図であり、図３は図２の要部を拡大して模式的に示した図である。なお、図２と図３は食器洗浄機本体１０から洗浄槽１２が少し引出された状態のときの縦断面図であり、図４は洗浄機本体１０内に洗浄槽１２が収容された状態のときの縦断面の要部を拡大して模式化した図である。
図２に示すように、レール機構１４は、洗浄槽１２の上端と食器洗浄機本体１０の内側面の上部をスライド自在に接続している。図３は図２の二点鎖線で囲んだ部分Ａの拡大図であり、図３に示すように、洗浄槽１２の上端近傍には外側へ張出す段部１２ｃが形成されている。段部１２ｃは側壁１２ｄを有しており、側壁１２ｄの上端にはさらに外側へ水平に伸びるフランジ１２ｅが形成されている。フランジ１２ｅの端部は下側へ曲げられている。フランジ１２ｅの下面にはボス１２ｆが形成されている。
可動レール２８は前後方向に伸び、断面下向きコの字状の部材であり、内側の片の端部に内側へ水平に伸びるフランジ２８ａが形成されている。フランジ２８ａは洗浄槽１２のフランジ１２ｅのボス１２ｆにビス止めされている。
固定レール３０は前後方向に伸び、断面外向きコの字状の部材であり、下側の片の端部に上側へ垂直に伸びるフランジ３０ａが形成されている。フランジ３０ａは食器洗浄機本体１０の左右の内側面に固定されている。
中間レール３２は前後方向に伸び、断面内向きコの字状の部材である。
レールカバー３４は前後方向に伸び、断面略下向きコの字状の部材であり、内側の片の中間部に内側に伸びる庇部３４ａが形成されている。
【００１５】
中間レール３２と可動レール２８は、中間レール３２の上側の片の上面と可動レール２８の下面の間にボール３６を介在させて嵌合されている。中間レール３２と固定レール３０は、中間レール３２の下側の片の上面と固定レール３２の上側の片の下面との間にボール３８を介在させて嵌合されている。なお、ボール３６，３８の換わりにローラを用いてもよい。
レールカバー３４は、可動レール２８を上部から覆うように取付けられている。レールカバー３４が取付けられたとき、レールカバー３４の庇部３４ａは洗浄槽１２のフランジ１２ｅの周縁の上方を覆う。
【００１６】
先述のように、洗浄槽１２が食器洗浄機本体１０内に収容位置に戻されると、図４に示すように内蓋１８が下方に移動して閉じられる。内蓋１８が閉じられると、内蓋１８の下面に取付けられたパッキン１８ａは洗浄槽１２の段部１２ｃの角部に押し付けられ、液密となる。
万が一、洗浄運転中等に内蓋１８のパッキン１８ａと洗浄槽１２の段部１２ｃのシール部から少量の水がしみ出ると、しみ出た水は段部１２ｃにまでは及ぶが、側壁１２ｄを乗り越えて、フランジ１２ｅにまで及ぶことはまずない。従って、漏れた水が洗浄槽１２の側壁の外面を伝ってレール機構１４に付着することはまずなく、レール機構１４の腐食は極めて発生しづらい。
また、洗浄運転中または洗浄運転終了後に、洗浄槽１２を出入れするときに内蓋１８の下面に付着していた水滴が落下することがある。水滴は内蓋１８のパッキン１８ａの内側の領域内にしか付着しておらず、図３に示すように、パッキン１８ａの内側の領域は洗浄槽１２の段部１２ｃより内側である。しかも、レール機構１４は洗浄槽１２のフランジ１２ｅよりさらに外側であるため、水滴が落下したとしても、水滴がレール機構１４にまで及ぶことはまずない。万が一、内蓋１８の下面に付着していた水滴がレール機構１４の方へ飛んだとしても、レール機構１４の上部にはレールカバー３４が取付けられており、庇部３４ａがレール機構１４の内部に水滴が侵入することを防止するため、直接レール機構１４に水滴が付着することはない。従って、内蓋１８の下面から落下した水滴がレール機構１４に付着することはまずなく、レール機構１４の腐食は極めて発生しづらい。
なお、レール機構１４は洗浄槽１２の上端に取付けられているため、万が一、吸込通路１２ａや排水通路１２ｂ等から水漏れが発生したとしても、レール機構１４に何ら影響を及ぼすことはない。
【００１７】
上記のレール機構１４の構成によれば、レール機構１４に水滴が付着しにくくすることができ、これによってレール機構の腐食の発生を防止し、耐久性を向上させることが可能となる。
なお、レールカバー３４の色や質感等をキッチンカウンタに使用されている素材と統一することによって、美観を向上させることができる。
【００１８】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００１９】
【図１】本実施例の引出し式食器洗浄機の縦断面図。
【図２】同引出し式食器洗浄機の別の縦断面図。
【図３】図２の要部拡大図（内蓋が開いている状態）。
【図４】図２の要部拡大図（内蓋が閉じている状態）。
【符号の説明】
【００２０】
１０：洗浄機本体
１２：洗浄槽、１２ａ：吸込通路、１２ｂ：排水通路、１２ｃ：段部、１２ｄ：側壁、１２ｅ：フランジ、１２ｆ：ボス
１４：レール機構
１６：扉
１８：内蓋、１８ａ：パッキン
２０：洗浄ポンプ、２０ａ：インペラ、２０ｂ：ファン、２０ｃ：モータ
２２：吐出通路
２４：ノズル、２４ａ：ノズル穴
２６：フィルタ
２８：可動レール、２８ａ：フランジ
３０：固定レール、３０ａ：フランジ
３２：中間レール
３４：レールカバー、３４ａ：庇部
３６，３８：ボール
４０：排水ポンプ
【図１】
2005137420.tif 000003
【図２】
2005137420.tif 000004
【図３】
2005137420.tif 000005
【図４】
2005137420.tif 000006